【手続補正書】
【提出日】平成15年10月16日(2003.10.16)
【手続補正１】
【補正対象書類名】明細書
【補正対象項目名】特許請求の範囲
【補正方法】変更
【補正の内容】
【特許請求の範囲】
【請求項１】
防犯ブザーと、この防犯ブザーを収納する箱状の収納ケースとから構成され、収納ケースは前面部に通音用の窓孔及び放音孔を有すると共に反射テープが取り付けられ、底面部には前記防犯ブザーの操作つまみを外部に出すための孔が形成され、両側部には被着体に取り付けるための取付手段が設けられ、この取付手段は一対の留めベルトが上下に配設され、これらの留めベルトの先端部に一対の留めベルトを相互に係合する面ファスナーがそれぞれ取り付けられ、且つ前記収納ケースの背面部には面ファスナーが取り付けられ、この面ファスナーと係合する面ファスナーが仮止めされ、更にこの面ファスナーの背面側は接着剤が塗布された接着面となっており、この接着面を覆うようにして剥離シートが貼着されていることを特徴とする防犯ブザー具。
【請求項２】
前記被着体はランドセルの肩ベルトであり、前記仮止めされた面ファスナーを前記収納ケースの背面部に取り付けられた面ファスナーから外すと共に前記剥離シートを剥がし、前記肩ベルトの取付位置に前記接着面により接着し、この面ファスナーに対して前記収納ケースの背面部に取り付けられた面ファスナーを係合することにより収納ケースを固定し、且つ前記一対の留めベルトを前記肩ベルトの裏側にそれぞれ反転させ、前記留めベルトの先端部に取り付けられた面ファスナーを相互に係合し、上下に位置する一対の留めベルトで前記肩ベルトをそれぞれ抱きこんだ状態で取り付けることを特徴とする請求項１記載の防犯ブザー具。
【請求項３】
前記被着体は手提げカバンであり、前記一対の留めベルトを前記手提げカバンの取っ手の根元付近にそれぞれ反転させ、前記留めベルトの先端部に取り付けられた面ファスナーを相互に係合し、上下に位置する一対の留めベルトで前記取っ手をそれぞれ抱きこんだ状態で取り付けることを特徴とする請求項１記載の防犯ブザー具。
【請求項４】
防犯ブザーと、この防犯ブザーを収納する箱状の収納ケースとから構成され、収納ケースは前面部に通音用の窓孔及び放音孔を有すると共に反射テープが取り付けられ、底面部には前記防犯ブザーの操作つまみを外部に出すための孔が形成され、通学用の学生カバンの側部に補助取付具を介して前記収納ケースを取り付けることを特徴とする防犯ブザー具。
【手続補正２】
【補正対象書類名】明細書
【補正対象項目名】０００５
【補正方法】変更
【補正の内容】
【０００５】
【課題を解決するための手段】
前記の目的を達成するための手段として、本発明は、防犯ブザーと、この防犯ブザーを収納する箱状の収納ケースとから構成され、収納ケースは前面部に通音用の窓孔及び放音孔を有すると共に反射テープが取り付けられ、底面部には前記防犯ブザーの操作つまみを外部に出すための孔が形成され、両側部には被着体に取り付けるための取付手段が設けられ、この取付手段は一対の留めベルトが上下に配設され、これらの留めベルトの先端部に一対の留めベルトを相互に係合する面ファスナーがそれぞれ取り付けられ、且つ前記収納ケースの背面部には面ファスナーが取り付けられ、この面ファスナーと係合する面ファスナーが仮止めされ、更にこの面ファスナーの背面側は接着剤が塗布された接着面となっており、この接着面を覆うようにして剥離シートが貼着されていることを特徴とする防犯ブザー具を要旨とする。
この防犯ブザー具において、前記被着体はランドセルの肩ベルトであり、前記仮止めされた面ファスナーを前記収納ケースの背面部に取り付けられた面ファスナーから外すと共に前記剥離シートを剥がし、前記肩ベルトの取付位置に前記接着面により接着し、この面ファスナーに対して前記収納ケースの背面部に取り付けられた面ファスナーを係合することにより収納ケースを固定し、且つ前記一対の留めベルトを前記肩ベルトの裏側にそれぞれ反転させ、前記留めベルトの先端部に取り付けられた面ファスナーを相互に係合し、上下に位置する一対の留めベルトで前記肩ベルトをそれぞれ抱きこんだ状態で取り付けることを特徴とする。
又、この防犯ブザー具において、前記被着体は手提げカバンであり、前記一対の留めベルトを前記手提げカバンの取っ手の根元付近にそれぞれ反転させ、前記留めベルトの先端部に取り付けられた面ファスナーを相互に係合し、上下に位置する一対の留めベルトで前記取っ手をそれぞれ抱きこんだ状態で取り付けることを特徴とする。
更に、防犯ブザーと、この防犯ブザーを収納する箱状の収納ケースとから構成され、収納ケースは前面部に通音用の窓孔及び放音孔を有すると共に反射テープが取り付けられ、底面部には前記防犯ブザーの操作つまみを外部に出すための孔が形成され、通学用の学生カバンの側部に補助取付具を介して前記収納ケースを取り付けることを特徴とする防犯ブザー具を要旨とするものである。


【手続補正３】
【補正対象書類名】明細書
【補正対象項目名】０００６
【補正方法】変更
【補正の内容】
【０００６】
本発明の防犯ブザー具は、ランドセルの肩ベルトに取り付けることで、このランドセルを背負うと胸の辺りに位置することとなり、且つ防犯ブザー具の操作つまみが収納ケースの底部から外に出ているため、非常時に直ちにその操作つまみを引いて防犯ブザーを鳴らすことができる。塾通い用等の手提げカバンの場合は、防犯ブザー具を手提げカバンの取っ手の根元付近に取り付けることで、又通学用の学生カバンの場合は、防犯ブザー具を学生カバンの側部に補助取付具を介して取り付けることで、非常時に直ちに操作つまみを引いて防犯ブザーを鳴らすことができる。


【手続補正４】
【補正対象書類名】明細書
【補正対象項目名】００２３
【補正方法】変更
【補正の内容】
【００２３】
【発明の効果】
以上説明したように、本発明によれば、収納ケース内に防犯ブザーを収納すると共に、その操作つまみを収納ケース外に出した防犯ブザー具を構成し、この防犯ブザー具をランドセルの肩ベルトに取り付けて、非常時に即座に防犯ブザーを鳴らすことができるようにしたので、特に誘拐、傷害等の犯罪に対して無抵抗な小学生を保護する効果を奏する。又、塾通い用手提げカバンの取っ手の根元付近にも取り付けられるので、夜間の塾通い時にも防犯効果を発揮することができ、通学用の学生カバンの側部にも補助取付具を介して取り付けられることから小学生のみならず、中学生、高校生も犯罪から保護する効果がある。本発明の防犯ブザー具はランドセル、手提げカバン、学生カバン等の被着体の外側に取り付けられ、且つ収納ケースは通音孔及び放音孔を有するため、防犯ブザーの警報音を大きな音で広範囲に伝播することができ、防犯効果を高めることができる。
又、収納ケースは小形コンパクトに形成されているので取り付けても邪魔にならず、ファッション性を有することから通常時には一種のアクセサリーとして機能する。この収納ケースの両側部には取付手段が設けられ、この取付手段は一対の留めベルトが上下に配設され、これらの留めベルトの先端部に一対の留めベルトを相互に係合する面ファスナーがそれぞれ取り付けられ、且つ前記収納ケースの背面部には面ファスナーが取り付けられ、この面ファスナーと係合する面ファスナーが仮止めされ、更にこの面ファスナーの背面側は接着剤が塗布された接着面となっており、この接着面を覆うようにして剥離シートが貼着されているので、ランドセル、手提げカバンに対する取り付けが容易にできる。更に、収納ケースの前面には反射テープが取り付けられているため、車両の前照灯を反射して交通安全に寄与する等の効果も奏する。